(57)【特許請求の範囲】
【請求項１】
遊技機本体(3) の前面側に開閉自在に枢着された前枠(2) と、該前枠(2) に装着され且つ前面側に遊技領域(27)が設けられた遊技盤(15)と、発射レール(37)上に供給される遊技球を前記遊技領域(27)に向けて発射する発射手段(16)とを備え、前記発射手段(16)と前記遊技盤(15)とを含む閉ループ状の循環経路(44)中に複数個の遊技球を封入した組み合わせ遊技機において、前記循環経路(44)中に封入された遊技球を前記発射レール(37)の手前で待機させる待機通路(47)が、前記前枠(2) に対して後方側に開閉可能に装着され且つ前記発射レール(37)に対して前記前枠(2) の裏面側から接続されており、前記待機通路(47)の下流端側は前記発射レール(37)上に遊技球を供給する球送り手段(48)に接続されており、前記待機通路(47)を前記前枠(2) に対して後方に開くことによって前記待機通路(47)の下流端側と前記球送り手段(48)との接続部分が分断されるように構成されると共に、前記待機通路(47)に、該待機通路(47)を前記前枠(2) に対して後方に開いた状態で前記球送り手段(48)との接続部分の開口を遮断する遮断手段(93)を設けたことを特徴とする組み合わせ遊技機。
【発明の詳細な説明】
【０００１】
【発明の属する技術分野】
本発明は、アレンジボール機、雀球遊技機等の組み合わせ遊技機に関するものである。
【０００２】
【従来の技術】
組み合わせ遊技機、例えばアレンジボール機は、各ゲーム毎に１６個の遊技球を発射手段により遊技盤の遊技領域へと打ち込んで、その遊技球を遊技領域の下部に配置された入賞口手段の何れかの入賞口に入賞させ、その入賞口手段の隣合う４個の入賞口に入賞して所定の入賞役が成立したときに、その成立の難易度に応じて得点を付与して所定数のメダル又は遊技球を景品として遊技者に払い出すようにしている。
【０００３】
このようなアレンジボール機のうち、メダル投入式のアレンジボール機は、遊技盤側と発射手段側とを含む循環経路中に遊技球を封入しておき、遊技機本体の前側のメダル投入口に所定のメダルを１枚投入したときに、発射手段の発射動作に連動してその遊技球を１個づつ送り手段により発射レール上に供給するようになっている。発射手段から遊技盤側に発射された遊技球は、遊技領域内の入賞口等に入賞して遊技盤の裏側へと案内されて発射手段側に戻され、次の発射の順番がくるまで発射手段の手前の待機通路内で待機する。
【０００４】
【発明が解決しようとする課題】
このような遊技球を循環経路中に封入したアレンジボール機においては、遊技盤の裏面側と発射手段との間が待機通路等よりなる閉通路によって接続されているため、例えば発射手段、発射レール、或いはその上流側で球詰まりなどの異常が生じた場合の処置や点検等のメンテナンス作業を行う場合に、これら閉通路が邪魔になって作業効率が悪くなる問題があった。
【０００５】
本発明は、このような問題点に鑑み、発射レール及びその上流側の通路上におけるメンテナンス作業を容易に行うことが可能な球封入式の組み合わせ遊技機を提供することを目的とする。
【０００６】
【課題を解決するための手段】
本発明は、遊技機本体３の前面側に開閉自在に枢着された前枠２と、該前枠２に装着され且つ前面側に遊技領域２７が設けられた遊技盤１５と、発射レール３７上に供給される遊技球を前記遊技領域２７に向けて発射する発射手段１６とを備え、前記発射手段１６と前記遊技盤１５とを含む閉ループ状の循環経路４４中に複数個の遊技球を封入した組み合わせ遊技機において、前記循環経路４４中に封入された遊技球を前記発射レール３７の手前で待機させる待機通路４７が、前記前枠２に対して後方側に開閉可能に装着され且つ前記発射レール３７に対して前記前枠２の裏面側から接続されており、前記待機通路４７の下流端側は前記発射レール３７上に遊技球を供給する球送り手段４８に接続されており、前記待機通路４７を前記前枠２に対して後方に開くことによって前記待機通路４７の下流端側と前記球送り手段４８との接続部分が分断されるように構成されると共に、前記待機通路４７に、該待機通路４７を前記前枠２に対して後方に開いた状態で前記球送り手段４８との接続部分の開口を遮断する遮断手段９３を設けている。
【０００７】
【発明の実施の形態】
以下、本発明の実施形態を図面に基づいて詳述する。図１〜図１２は本発明をメダル投入式のアレンジボール機に採用した一実施形態を例示する。このアレンジボール機は、図１〜図４に示すように、外枠１と、この外枠１の前側に配置された前枠２とを備えた遊技機本体３を有し、その前枠２は左右一端側の縦方向のヒンジ４を介して外枠１に開閉及び着脱自在に装着されている。
【０００８】
遊技機本体３には、その前面側に前面パネル５が装着されると共に、外枠１側にメダルホッパー６、補助タンク７、電源ユニット８等が設けられ、前枠２側に遊技盤１５、発射手段１６、メダル選別手段１７が設けられる等、遊技機本体３の内部で前面パネル５の裏側に、遊技盤１５を含む各種の内部機構が設けられている。
【０００９】
外枠１は、縦方向に長い矩形枠等により構成され、この外枠１の内部の下部側にメダルホッパー６、補助タンク７、電源ユニット８等が配置されている。なお、外枠１には、その裏側に裏板９が装着されている。前枠２は、外枠１に対応して縦方向に長い矩形枠等により構成されている。前枠２には、その前面側に前面パネル５が装着され、また前面パネル５の裏側の内部に遊技盤１５、発射手段１６、メダル選別手段１７等が配置されている。
【００１０】
メダルホッパー６はメダルを貯留するメダル貯留手段を構成するもので、このメダルホッパー６には、投入メダルを受け入れるメダルシュート１０と、内部のメダルが満杯状態のときに、余剰メダルを補助タンク７へと溢流させる溢流口１１と、景品用のメダルを払い出すメダル払い出し手段１２とが設けられている。メダル払い出し手段１２は、メダルホッパー６内のメダルを景品用又は返却用として払い出すためのもので、メダルホッパー６の下部側に設けられ、モータ等の駆動手段１３によりメダルホッパー６内の回転体（図示省略）を駆動して、メダル払い出し口１４から前側へとメダルを払い出すようになっている。なお、補助タンク７は出し入れ自在である。
【００１１】
遊技盤１５は、前枠２の内部の遊技盤装着枠１８と支持枠１９との間に裏側から嵌脱自在に嵌合され、遊技盤装着枠１８の裏側に設けられた複数個の締結手段１８ａにより着脱自在に固定されている。従って、遊技盤１５は、遊技機本体３の前部側、取り分け前枠２に裏側から着脱自在である。遊技盤装着枠１８は門型状で、その上側及び左右両側が支持枠１９の上側で前枠２の内側面に固定されている。支持枠１９は、遊技盤１５を下側から受ける遊技盤受け部２０を上縁側に一体に備え、前枠２の内部に左右方向に架設されている。
【００１２】
遊技盤１５の前面には、図１に示すように、ガイドレール２１が環状に装着されると共に、このガイドレール２１の内側の遊技領域２７の下部に入賞口手段２２が配置され、また入賞口手段２２の上側に誘導図柄表示手段２３、特定入賞手段２４、得点増加手段２５、作動手段２６等の各遊技部品が配置されている。なお、入賞口手段２２と各遊技部品との間には、多数の遊技釘（図示省略）が設けられている。
【００１３】
入賞口手段２２は、図５、図７に示すように、遊技盤１５の開口部１５ａに裏側から着脱自在に装着された入賞ケース２８と、この入賞ケース２８に横一列状等に形成され且つ前側から入賞した遊技球を遊技盤１５の裏側へと誘導する複数個、例えば１６個の入賞口２９と、各入賞口２９に入賞した遊技球を検出する複数個、例えば１６個の入賞検出スイッチ３０とを備え、遊技盤１５に沿って落下する遊技球が何れかの入賞口２９に入賞して、入賞検出スイッチ３０がその遊技球を検出するようになっている。
【００１４】
特定入賞手段２４、得点増加手段２５等は、遊技盤１５の前側で入賞した遊技球を遊技盤１５の裏側に案内するように構成され、これらに遊技球が入賞したときに、それに対応する１個又は複数個の入賞口２９への遊技球の入賞と同等に取り扱われるようになっている。
【００１５】
遊技盤１５の裏面には、図２及び図３に示すように入賞口手段２２、誘導図柄表示手段２３、特定入賞手段２４、得点増加手段２５、作動手段２６等の各遊技部品を裏側から覆う裏カバー３１と、この裏カバー３１の下側に配置された球集合ケース３２とが着脱自在に装着され、その裏カバー３１の裏面に、主制御基板３３を収納する主基板ケース３４と、音声基板３５を収納する音声基板ケース３６とが着脱自在に装着されている。
【００１６】
裏カバー３１には、図５に示すように、その底壁３１ａの前縁部に開口部３１ｂが形成されている。球集合ケース３２は、入賞口手段２２、特定入賞手段２４、得点増加手段２５等の遊技部品を経て遊技盤１５の裏側に誘導された遊技球を集合させるためのもので、図５、図７及び図８に示すように、上側が開口する球集合部３２ａと、この球集合部３２ａで集合した遊技球を下方へと排出する排出口３２ｂとを有し、入賞ケース２８の下側で遊技盤１５の裏側に装着されている。なお、入賞口２９に入賞した遊技球は、入賞検出スイッチ３０で検出された後、入賞口手段２２等の内部に停留することなく、球集合ケース３２を経て排出口３２ｂから排出されるようになっている。
【００１７】
球集合ケース３２の排出口３２ｂは、後述の待機通路４７の長さを容易に確保できるように、球集合ケース３２の左右方向の略中央よりも球送り手段４８と反対側に偏位して配置されている。また、入賞口手段２２の左右両側には、特定入賞手段２４、得点増加手段２５等からの遊技球を球集合ケース３２の球集合部３２ａへと案内する案内通路３２ｃが、裏カバー３１の開口部３１ｂを経て球集合ケース３２側に突出するように装着されている。
【００１８】
発射手段１６は、遊技球をガイドレール２１を経て遊技盤１５の遊技領域２７へと発射させるためのもので、図１〜図３に示すように、発射レール３７と、発射レール３７上の遊技球をガイドレール２１側に向かって打撃する打撃槌３８と、打撃槌３８を遊技球の打撃方向に付勢する発射バネ（図示省略）と、カム機構３９を介して発射バネに抗しながら打撃槌３８を反打撃方向へと間欠的に揺動させるモータ等の発射駆動手段４０と、遊技者の把持により発射駆動手段４０を起動させ且つその回動操作により発射バネのバネ圧を調整可能な発射ハンドル４１とを備え、取り付け板１６ａ等を介して支持枠１９に着脱自在に装着されている。
【００１９】
発射レール３７は、遊技盤１５側のガイドレール２１に対応して支持枠１９の前側等に装着されている。打撃槌３８は発射レール３７上の遊技球を打撃できるように、発射レール３７に対応して支持枠１９の前側等に配置され、取り付け板１６ａに前後方向の枢軸により揺動自在に軸支されている。発射ハンドル４１は、図５に示すように、前面パネル５側の通孔４２を貫通して前側に突出する支持筒４３の前端部側に設けられており、遊技者が前面パネル５の前側で把持して回動操作できるようになっている。なお、発射ハンドル４１には、遊技者の把持又は操作を検出するタッチスイッチ（図示省略）のタッチ片が設けられている。発射レール３７の前側には、発射レール３７及びガイドレール２１の発射レール３７側の一部分を前側から覆うレールカバー９０が設けられている。このレールカバー９０は、例えば前面パネル５に左右方向に架設された支持部材９１に着脱自在に装着されている。
【００２０】
発射手段１６側と遊技盤１５側との間には、図３、図５及び図８に示すように、これらを含む遊技球用の循環経路４４が閉ループ状に形成され、その循環経路４４内に複数個の遊技球が封入されている。循環経路４４は、発射手段１６により発射された遊技球を遊技盤１５側へと案内する発射側経路４５と、遊技盤１５の裏側に通過した遊技球を発射手段１６側へと戻す戻り側経路４６とを備えている。発射側経路４５は発射レール３７、ガイドレール２１等により構成され、また戻り側経路４６は球集合ケース３２、待機通路４７、球送り手段４８等により構成されている。
【００２１】
球送り手段４８は、発射手段１６の発射動作に連動して待機通路４７内の遊技球を１個づつ発射レール３７上へと送るためのもので、発射レール３７の発射側端部に対応して支持枠１９の裏側等に着脱自在に装着されている。
【００２２】
待機通路４７は、遊技盤１５を通過して発射手段１６側に戻って来た遊技球を球送り手段４８の手前で待機させるためのもので、例えば支持枠１９の裏側に、発射手段１６側が低くなるように左右方向に傾斜させて、前枠２の後方に開閉及び着脱自在に装着されている。待機通路４７は、左右一端側、例えば発射手段１６とは反対側の端部において縦方向のヒンジ９２により支持枠１９の裏側に装着されており、図９に示すように、発射手段１６側が前枠２の後方側に開くようになっている。待機通路４７は、前枠２に対して閉じた状態で、上流側開口４７ａが球集合ケース３２の排出口３２ｂと、下流側開口４７ｂが球送り手段４８の球受入部とそれぞれ接続するようになっている。
【００２３】
待機通路４７の発射手段１６側、即ち開閉端側には、図１０に示すように、待機通路４７を前枠２に対して閉じた状態で固定すると共に、その固定を解除した状態では下流側開口４７ｂを遮断する機能を有する固定・遮断手段（遮断手段の一例）９３が設けられている。この固定・遮断手段９３は、摺動部材９４、バネ部材９５、及び固定部材９６を備えている。
【００２４】
摺動部材９４は、待機通路４７の開口部４７ｃを介して左右方向に摺動自在であり、待機通路４７を前枠２に対して閉じた状態では、球送り手段４８の裏面側に設けられたレール部４８ａに沿って摺動可能となっている。レール部４８ａは、図１１に示すように、断面Ｌ字型に形成されて球送り手段４８の裏面側に上下に対称に設けられており、待機通路４７を前枠２に対して閉じた状態で左右方向に摺動される摺動部材９４を、上下及び前後方向に支持するようになっている。
【００２５】
待機通路４７は、待機通路４７の開口部４７ｃを介して待機通路４７内に進退自在の遮断板９４ａと、該遮断板９４ａの後端側に設けられたフランジ状の突設板９４ｂと、該突設板９４ｂの球送り手段４８側端部から球送り手段４８の裏面に沿って遮断板９４ａとは反対側に延設された固定板９４ｃとが一体に形成されている。摺動部材９４が待機通路４７に近づく方向に移動すると、遮断板９４ａが待機通路４７内に進出して下流側開口４７ｂを遮断し、逆に摺動部材９４が待機通路４７から離れる方向に移動すると、遮断板９４ａが待機通路４７内から退出して下流側開口４７ｂを開放するようになっている。なお、遮断板９４ａは、その先端が楔形に形成されており、下流側開口４７ｂを遮断する際に待機通路４７内の先頭の遊技球を待機通路４７の内部に向けてスムーズに押し込めるようになっている。また、固定板９４ｃには、端部側に開口したスリット孔９４ｄが形成されている。
【００２６】
バネ部材９５は、摺動部材９４を、遮断板９４ａが待機通路４７内に進出する方向に付勢するもので、待機通路４７の下流側端部と摺動部材９４の突設板９４ｂとの間に取り付けられている。また、蝶ネジ等で構成される固定部材９６は、遮断板９４ａが待機通路４７内から退出した状態で摺動部材９４を例えば球送り手段４８に固定するもので、摺動部材９４のスリット孔９４ｄに対応して球送り手段４８の裏面に形成されたネジ穴４８ｂにねじ込まれている。
【００２７】
待機通路４７を前枠２に対して閉じる際には、まず固定部材９６を緩めておき、例えば突設板９４ｂに指をかけて摺動部材９４をバネ部材９５の付勢力に抗して引っ張り、スリット孔９４ｄが固定部材９６の軸を挟み込んだところで固定部材９６をねじ込んで摺動部材９４を固定する。これにより、待機通路４７は、摺動部材９４を介して前枠２に対して閉じた状態で固定される。このとき、遮断板９４ａが待機通路４７内から退出して下流側開口４７ｂは開口し、待機通路４７と球送り手段４８とが遊技球通過可能に連通した状態（図１０に示す状態）となる。
【００２８】
待機通路４７を前枠２に対して後方に開く場合には、固定部材９６を緩めれば、バネ部材９５の付勢力によって摺動部材９４が球送り手段４８の裏面に沿って摺動し、摺動部材９４のスリット孔９４ｄが固定部材９６から抜けて固定状態が解除され、待機通路４７は前枠２に対して後方に開放可能な状態となる。このとき、遮断板９４ａが待機通路４７内に進出して下流側開口４７ｂは遮断される。従って、図９に示すように待機通路４７を前枠２に対して後方に開いても、待機通路４７内の遊技球が下流側開口４７ｂから脱落する心配はない。
【００２９】
以上のように、待機通路４７が前枠２に対して後方に開くようになっているため、例えば待機通路４７や球送り手段４８、球集合ケース３２等のメンテナンス作業を前枠２の裏側から容易に行うことができる。また、待機通路４７を前枠２に対して閉じた状態では、球集合ケース３２と待機通路４７との間、及び待機通路４７と球送り手段４８との間がそれぞれ連通されるため、待機通路４７が前枠２に対して後方に開くようになっているにも拘わらず、閉ループ状の循環経路４４を構成できる。
【００３０】
なお、循環経路４４中の遊技球の封入個数は、１ゲームの必要最低個数以上（例えば１６〜２５個程度）が望ましいが、少なくとも複数個あれば良い。また待機通路４７は、その封入個数分の遊技球の全て、又は下流側の一部（数個程度）が一列状に整列する程度の長さであることが望ましい。
【００３１】
メダル選別手段１７は、後述のメダル投入口４９から投入されたメダルの正否を選別するためのもので、図６及び図８に示すように、メダル投入口４９に対応して支持枠１９等に着脱自在に装着されている。そして、このメダル選別手段１７は、メダルの移動中に重量、外形、材質等を基準に正否を判別し、その判別結果に応じて不良なメダルを不良シュート５０を経て後述のメダル案内樋５１へと戻し、正常な（正規の）メダルをメダルホッパー６のメダルシュート１０へと案内するようになっている。メダル選別手段１７には、正規のメダルを検出するためのメダル検出スイッチ５２がその判別部よりも下流側に設けられている。
【００３２】
前面パネル５は、少なくとも遊技盤１５の前側に対応するガラス扉５３と、その他の部分との複数個に分割されている。前面パネル５は、図５及び図６に示すように、例えば遊技盤１５の前面側に対応するガラス扉５３の他に、ガラス扉５３の上側に配置された上パネル５４と、ガラス扉５３の下側に配置された中間パネル５５と、中間パネル５５の下側に配置された下パネル５６との複数個に分割され、その下パネル５６を除く上パネル５４、ガラス扉５３、中間パネル５５が、前枠２のヒンジ４と同一側で縦方向のヒンジ５７により前枠２に対して個別に開閉自在に枢着されている。なお、前面パネル５は前枠２と一体に形成してもよい。
【００３３】
ガラス扉５３は、遊技盤１５の遊技領域２７に対応する窓孔５８が形成された扉枠５９と、その窓孔５８を塞ぐように扉枠５９に装着されたガラス板６０とを備えている。上パネル５４は前枠２の上部側に配置され、特別遊技状態、その他のゲーム状態等を表示する上部表示手段６１が装着されている。上部表示手段６１は、上パネル５４に着脱自在に装着された表示カバー６２と、表示カバー６２内に設けられた１個又は複数個の表示ランプ６３とを備え、その表示ランプ６３がゲーム状態に応じて点滅発光するようになっている。表示カバー６２は、遊技機本体３の左右方向の略全幅に亘って前方に突出すると共に、その前側が後ろ下がりに傾斜状に構成されている。
【００３４】
中間パネル５５は、図５〜図７に示すように、前方に張り出す張り出し部６４を有し、この張り出し部６４の上部側に、前下がりに傾斜する表示パネル部６５と操作パネル部６６とが設けられ、また張り出し部６４の下側に、その下端から前枠２側へと後方に屈曲する底壁部６４ａが設けられている。なお、中間パネル５５の下端部は、その開閉時に発射ハンドル４１と干渉しないように、発射ハンドル４１よりも上側で下パネル５６と分離され、中間パネル５５を閉じたときに、下パネル５６の上端部に前側から当接するか、又は下パネル５６の上端部と上下に重なるようになっている。
【００３５】
表示パネル部６５はガラス扉５３の下辺側の近傍に左右方向に細長く形成され、この表示パネル部６５の手前側に操作パネル部６６が設けられている。表示パネル部６５には、左右方向の略中央部分に入賞表示手段６７が設けられ、この入賞表示手段６７の左右方向の一方にメダル数表示手段６８が、他方に得点表示手段６９が夫々設けられている。なお、表示パネル部６５は、各表示手段６７〜６９の表示状態が確認し易くなるように操作パネル部６６よりも傾斜角度が大になっているが、操作パネル部６６と略同一角度にしても良い。
【００３６】
入賞表示手段６７は、入賞口手段２２の各入賞口２９と対応する複数個、例えば１６個の入賞表示部７０を備え、その各入賞表示部７０が入賞口手段２２の各入賞口２９と相対応して前後方向に近接するように横一列状に配置されている。そして、各入賞表示部７０は、遊技球が何れかの入賞口２９に入賞したときに、それに対応する入賞表示部７０が発光、その他によってその入賞を遊技者に表示するようになっている。各入賞表示部７０には、各入賞口２９に対応して一端側から順番に番号が付されている。なお、入賞表示手段６７は、入賞口手段２２よりも上側の遊技領域２７の中央部等に、入賞表示部７０を縦横に所定数（例えば４個）づつ組み合わせて配置しても良い。
【００３７】
メダル数表示手段６８は、メダル投入口４９から投入されたメダルの保有枚数（預託メダル数）を表示するためのものであり、表示パネル部６５上の左右方向の一方側、例えば向かって左側の後述するメダル投入口４９の近傍に配置されており、例えば２桁表示可能な７セグメントによる表示手段により構成されている。メダル投入口４９にメダルが投入されると、メダル数表示手段６８にはその投入枚数の合計が預託メダル数として表示される。また、ゲームを開始する毎に、１ゲームに必要な規定の複数枚のメダル数が預託メダル数から減算され、その減算された預託メダル数がメダル数表示手段６８に表示される。なお、メダル数表示手段６８に表示される預託メダル数には上限（例えば５０枚）が設定されており、預託メダル数がその上限を超えると、その所定数を超えた枚数分は払い出されるようになっている。
【００３８】
得点表示手段６９は、入賞役の成立により付与された得点又は景品用メダルの未払い出し分の得点を表示するためのものであり、表示パネル部６５上の左右方向の一方側、例えばメダル数表示手段６８の反対側に配置されている。得点表示手段６９は、例えばメダル数表示手段６８と同様、２桁表示可能な７セグメントによる表示手段により構成されている。ゲーム中に入賞役が成立すると、その入賞役に応じた得点の合計が得点表示手段６９に表示される。ゲームで付与される得点には上限（例えば１０点）が設定されている。ゲーム終了時にその得点に応じた景品用メダルが払い出されると、得点表示手段６９の表示は例えば”０”となる。なお、得点表示手段６９に代えて、又は得点表示手段６９と共に獲得メダル数表示手段を設け、その獲得メダル数表示手段により、得点に応じて獲得した獲得メダル数又は未払い出し分の獲得メダル数を表示するようにしても良い。
【００３９】
操作パネル部６６には、メダル投入口４９、手動選択スイッチ７１、自動選択スイッチ７２及び返却スイッチ７３が設けられている。メダル投入口４９は、操作パネル部６６の左右方向の一方側でヒンジ４，５７に近い側の端部若しくはその近傍に配置され、このメダル投入口４９よりも左右方向の中央側に手動選択スイッチ７１と自動選択スイッチ７２と返却スイッチ７３とが左右方向に一列状に配置されている。
【００４０】
メダル投入口４９は、少なくとも１ゲームに必要な規定の複数枚、好ましくは複数ゲーム分の多数枚のメダルを投入可能な大きさのホッパー状であって、その下部側の出口４９ａは、メダル選別手段１７に対してメダルを１枚づつ供給し得るように狭くなっている。メダル投入口４９の外側には、多数枚のメダルを投入したときにも、出口４９ａ側でメダルが整列するようにメダル投入口４９を微震動させる振動付与手段７４が装着されている。振動付与手段７４は、メダル投入口４９にメダルを投入したときに作動するようになっている。なお、メダル投入口４９は、一度の投入枚数が１ゲームに必要な規定数以下のメダル数、例えばメダルを１枚づつ投入できる程度のものでも良い。
【００４１】
手動選択スイッチ７１は、その操作毎に１ゲームづつのゲームを開始可能にするためのもので、この手動選択スイッチ７１を操作したときに、預託メダル数から規定の複数枚、例えば４枚分のメダルを減算する処理を行い、１ゲーム分のゲームが開始可能な状態になるようになっている。
【００４２】
自動選択スイッチ７２は、所定の休止期間をおいて繰り返し連続的にゲームを開始可能にするためのもので、この自動選択スイッチ７２を操作したときに、規定数以上の預託メダル数があれば、手動選択スイッチ７１を操作しない限り、各ゲームの開始前に規定数のメダルを減算する処理を行い、その後にゲームが開始可能な状態になるようになっている。
【００４３】
返却スイッチ７３は、預託メダルの返却を求めるためのもので、この返却スイッチ７３を操作したときに、メダル払い出し手段１２が作動して預託メダル数分のメダルをメダルホッパー６から払い出すようになっている。
【００４４】
手動選択スイッチ７１、自動選択スイッチ７２、返却スイッチ７３には、押しボタン式、その他のものが使用されている。また手動選択スイッチ７１、自動選択スイッチ７２には、その操作部側にランプ等の選択表示手段（図示省略）が設けられ、その選択表示手段で選択状況を表示するようになっている。なお、選択表示手段は、手動選択スイッチ７１、自動選択スイッチ７２の近傍に設けても良い。
【００４５】
下パネル５６は、前枠２の下部側に固定されている。下パネル５６には、その下部側の左右方向の略中央にメダル受け皿７５とメダル案内樋５１とが前後に設けられ、またメダル受け皿７５の左右方向の一方側で且つヒンジ４，５７に近い側に灰皿７６が、反対側に手載せ台７７が夫々設けられている。メダル受け皿７５、灰皿７６及び手載せ台７７は、下パネル５６から前方に突出しており、その前端は面一状になっている。なお、下パネル５６に、発射ハンドル４１を支持する支持筒４３を前後方向に貫通するための通孔４２が形成されている。
【００４６】
メダル受け皿７５は、メダル払い出し手段１２から払い出されたメダル、及び不良シュート５０を経て返却された不良メダル等を貯留するためのものである。メダル案内樋５１は、メダル払い出し手段１２から払い出されたメダル、不良シュート５０を経て返却された不良メダルをメダル受け皿７５へと案内するためのもので、下パネル５６から後方に突出するようにメダル受け皿７５に一体又は別体に設けられている。
【００４７】
手載せ台７７の上側には発射ハンドル４１があり、これら手載せ台７７及び発射ハンドル４１は、ヒンジ４，５７、メダル投入口４９に対して左右方向の反対側の端部若しくはその近傍に配置されている。手載せ台７７は、発射ハンドル４１を操作するときに手の一部を載せておくためのもので、この手載せ台７７と発射ハンドル４１との間隔は、手載せ台７７上に手の一部を載せた状態でも発射ハンドル４１を操作できるし、載せない状態でも操作できる程度に設定されている。また発射ハンドル４１の上側には、中間パネル５５の張り出し部６４に、上側へと円弧状に凹入する凹部７８が形成され、発射ハンドル４１と張り出し部６４との間に、発射ハンドル４１を把持したときに、手が中間パネル５５の張り出し部６４に接触しない程度の間隔が確保されている。
【００４８】
図１２はアレンジボール機の制御系のブロック図である。この制御系は、図１２に示すように主制御手段８０、入賞表示制御手段８１、精算処理手段８２、払い出し制御手段８３、メダル計数手段８４、預託処理手段８５、ゲーム選択手段８６、発射制御手段８７、返却制御手段８８等を備えている。ここで、主制御手段８０、精算処理手段８２、メダル計数手段８４、預託処理手段８５、及びゲーム選択手段８６は、例えば主制御基板３３上に構築され、払い出し制御手段８３、及び返却制御手段８８は、例えば払い出し制御基板３３ａ上に構築される。払い出し制御基板３３ａは、例えば前枠２や外枠１等の適宜箇所に装着される。なお、例えば精算処理手段８２、メダル計数手段８４、預託処理手段８５、ゲーム選択手段８６等については、主制御基板３３とは別の独立した基板上に構築してもよい。
【００４９】
主制御手段８０は、入賞役の成否、誘導図柄表示手段２３の変動条件の成否、特定入賞手段２４の作動条件の成否、得点増加手段２５の作動条件の成否等、遊技盤１５側の各遊技動作を制御するためのものである。
【００５０】
入賞表示制御手段８１は、入賞口手段２２の各入賞口２９に遊技球が入賞したとき等に、入賞表示手段６７のその入賞口２９等に対応する入賞表示部７０に入賞表示をさせるようになっている。精算処理手段８２は、主制御手段８０からの信号により、ゲーム中又はゲームの終了毎に入賞役の成否等に応じて得点を算出する精算処理を行い、その得点を得点表示手段６９に表示させるようになっている。
【００５１】
払い出し制御手段８３は、精算処理手段８２の精算処理により得点が付与されたときに、ゲーム中又はゲームの終了後にメダル払い出し手段１２を制御して、その得点に応じてメダルホッパー６内のメダルをメダル払い出し手段１２によりメダル受け皿７５へと払い出させるようになっている。
【００５２】
メダル計数手段８４は、メダル投入口４９から投入された正規のメダルを計数するためのもので、メダル検出スイッチ５２からの信号により投入メダル数を計数するようになっている。預託処理手段８５は、メダル計数手段８４で計数された投入メダル数を記憶中の預託メダル数に順次加算して預託メダル数を更新し、ゲーム選択手段８６からの指令に基づいてゲーム毎にその預託メダル数から１ゲームに必要なメダルの規定数分を減算処理して預託メダル数を更新し、更に預託メダル数を更新する都度、その時点の実預託メダル数をメダル数表示手段６８に表示させるようになっている。
【００５３】
ゲーム選択手段８６は、手動選択スイッチ７１、自動選択スイッチ７２で選択された選択結果に基づいて、預託処理手段８５、発射制御手段８７、その他の各部に１ゲーム又は連続ゲームの指令を送るためのもので、例えば手動選択スイッチ７１を操作したときにその操作毎に１ゲーム分のメダル数を減算する指令を、自動選択スイッチ７２を操作したときに各ゲーム毎に１ゲーム分のメダル数を順次減算する指令を夫々出して、預託処理手段８５にゲームの開始前に預託メダル数から規定数分を減算処理させると共に、手動選択スイッチ７１を操作したときに１ゲームの指令を発射制御手段８７に、自動選択スイッチ７２を操作したときに連続ゲームの指令を発射制御手段８７に夫々出すようになっている。
【００５４】
発射制御手段８７は、各ゲームの終了毎に所定の休止時間をおいて発射手段１６の発射動作を制御するためのもので、預託処理手段８５が規定数のメダルの減算処理を行ったこと及び遊技者が発射手段１６の発射ハンドル４１を操作することを条件に、ゲーム選択手段８６の指令に基づいて発射手段１６を作動させ、発射手段１６が所定数（１６個）の遊技球を遊技領域２７に打ち込むまでその作動を継続させるようになっている。従って、制御系は、メダル投入口４９に規定数以上のメダルを投入すれば、ゲームを開始可能な状態になる。
【００５５】
なお、遊技領域２７に打ち込まれた遊技球の数は、発射球数確認手段を設け、これにより予め定められた個数の発射を検知してその発射数からファール球数を減算するか、又は入賞口手段２２、特定入賞手段２４等に入賞した遊技球の数から求めれば良い。
【００５６】
返却制御手段８８は、返却スイッチ７３を操作したときに、預託処理手段８５側に記憶されている預託メダル数に残高があることを条件に、メダル払い出し手段１２がその預託メダル数分のメダルを払い出すように制御するためのものである。
【００５７】
次に、上記構成のアレンジボール機における動作を説明する。ゲームの開始に際しては、メダル投入口４９に１ゲームに必要な規定数以上の複数枚のメダルを投入する。すると、各メダルはメダル投入口４９内で整列してメダル選別手段１７へと入り、そのメダル選別手段１７で正否の判別を受け、不良メダルは不良シュート５０からメダル受け皿７５へと戻され、正規のメダルのみがメダルシュート１０を経てメダルホッパー６へと落下する。
【００５８】
このときメダル検出スイッチ５２が正規のメダルを検出し、メダル計数手段８４がそのメダル数を計数して、預託処理手段８５が記憶中の預託メダル数に加算して更新する。これによって預託処理手段８５がゲーム選択手段８６の指令に基づいてメダルの減算処理を行うことが可能になるので、ゲームを開始可能な状態になる。またメダルを投入すれば、預託処理手段８５の制御によってメダル数表示手段６８が預託メダル数を表示する。このため遊技者は、その表示によってその時点の預託メダル数を容易に確認できる。
【００５９】
次に手動選択スイッチ７１を操作すると、ゲーム選択手段８６が１ゲーム選択の指令を預託処理手段８５、発射制御手段８７、その他の各部に送り、預託処理手段８５が預託メダル数から規定数分を減算し更新する処理を行い、これによって発射手段１６が実際に遊技球を発射可能な状態になる。なお、預託処理手段８５が減算処理を行えば、メダル数表示手段６８はその減算後の預託メダル数を表示する。
【００６０】
ここで、例えば預託メダル数が０の状態で新たにメダルを投入した場合には、手動選択スイッチ７１を操作することなく預託処理手段８５が預託メダル数から規定数分を自動的に減算し、ゲームを開始可能な状態になるように構成してもよい。
【００６１】
その後、遊技者が発射ハンドル４１を把持して操作すると、発射制御手段８７がゲーム選択手段８６からの指令に基づいて発射手段１６を作動させ、球送り手段４８が待機通路４７内の遊技球を１個づつ発射レール３７上に供給し、その発射レール３７上の遊技球を打撃槌３８で打撃して順次ガイドレール２１を経て遊技盤１５の遊技領域２７へと打ち込んで行き、これによって通常のゲームが進行する。
【００６２】
遊技領域２７に打ち込まれた遊技球は、入賞口手段２２の何れかの入賞口２９に入賞するか、又は特定入賞手段２４等に入賞して、遊技盤１５の裏側へと案内された後、球集合ケース３２を経て待機通路４７へと順次戻されて行く。例えば、遊技球が入賞口手段２２の何れかの入賞口２９に入賞すると、その遊技球は入賞口２９から遊技盤１５の裏側へと案内され、球集合ケース３２を経て待機通路４７へと戻される。また、遊技球が入賞口２９から遊技盤１５の裏側へと通過するときに、入賞検出スイッチ３０がその遊技球を検出し、入賞表示制御手段８１の制御によって、入賞表示手段６７の対応する入賞表示部７０が入賞を表示する。
【００６３】
入賞口手段２２の入賞口２９の内、その隣り合う４個の入賞口２９に遊技球が入賞して入賞役が成立すると、主制御手段８０が入賞役の成立を判定し、その入賞役の成立の難易度に応じて精算処理手段８２が得点を付与する精算処理を行い、得点表示手段６９がその得点を表示する。このため遊技者は、そのゲームで獲得した得点を得点表示手段６９の表示によって容易に確認できる。
【００６４】
一方、得点が付与されると、メダル払い出し手段１２が払い出し制御手段８３の制御により作動して、その得点に応じてメダルホッパー６内のメダルをメダル払い出し口１４からメダル受け皿７５へと払い出す。これによって遊技者は、所定の利益を享受できる。なお、１ゲーム当たりの得点は最高１０点であり、また１点当たりのメダルの払い出し個数は４枚である。
【００６５】
遊技領域２７に１６個の遊技球を打ち込むと、発射制御手段８７の制御により発射手段１６が停止して１ゲームが終了し、次のゲームまで所定時間休止状態となる。従って、休止時間中に手動選択スイッチ７１を操作しても、ゲーム選択手段８６、預託処理手段８５等は同様に機能するが、発射手段１６はただちには作動せず、休止時間の経過後に作動して遊技球の発射を開始する。
【００６６】
自動選択スイッチ７２を操作したときには、預託メダル数が１ゲームに必要な規定数以上である限り、預託処理手段８５が各ゲーム毎に規定数のメダルの減算処理を行い、発射手段１６が各ゲーム毎に遊技領域２７へと所定数の遊技球を打ち込んで行く。従って、遊技者は、発射ハンドル４１を操作するだけで、所定の休止時間をおきながら自動的に連続してゲームを行うことができる。
【００６７】
返却スイッチ７３を操作したときには、預託処理手段８５側に記憶された預託メダル数に残高があることを条件に、返却制御手段８８の制御により、メダル払い出し手段１２が作動してメダルホッパー６から預託メダル数分のメダルをメダル受け皿７５へと払い出す。
【００６８】
以上説明したように、本実施形態に係るアレンジボール機では、循環経路４４中に封入された遊技球を発射レール３７の手前で待機させる待機通路４７が、前枠２に対して後方側に開閉可能に装着されているため、例えば待機通路４７や球送り手段４８、球集合ケース３２等、発射手段１６の上流側のメンテナンス作業を前枠２の裏側から容易に行うことができる。また、待機通路４７を前枠２に対して閉じた状態では、球集合ケース３２と待機通路４７との間、及び待機通路４７と球送り手段４８との間がそれぞれ連通されるため、待機通路４７が前枠２に対して後方側に開閉可能であるにも拘わらず、閉ループ状の循環経路４４を構成できる。
【００６９】
また、待機通路４７を前枠２に対して後方に開いた状態では、待機通路４７の下流端側と球送り手段４８との接続部分が分断されるが、その状態では、待機通路４７の下流側開口４７ｂが遮断板９４ａによって遮断されるため、待機通路４７内の遊技球が下流側開口４７ｂから脱落する心配はない。
【００７０】
また、メダル投入口４９に規定の複数枚のメダルを投入することを条件にゲームを開始可能に構成しているため、スロットマシン用のメダル等を使用する等、従来の専用メダルとは異なり価値の低い他の遊技機用のメダルを使用してゲームを行うこともできる。更に、メダル投入口４９に投入されたメダルをメダル計数手段８４で計数して、このメダル計数手段８４が複数枚のメダルを計数したときにゲームを開始可能であるため、例えば重量等で複数枚のメダルの投入を検出するものに比較して投入メダル数を容易且つ確実に確認できる。
【００７１】
更に、メダル投入口４９から投入されたメダルの正否を選別するメダル選別手段１７と、このメダル選別手段１７により選別された正規のメダルを検出するメダル検出スイッチ５２とを設け、そのメダル検出スイッチ５２が検出した正規のメダルをメダル計数手段８４が計数するように構成しているため、不正メダル、その他の不良メダルの使用を防止できる。
【００７２】
また、遊技機本体３は、外枠１とこの外枠１の前側に配置された前枠２とを備え、その外枠１側に、メダルを貯留するメダルホッパー（メダル貯留手段）６と、メダルホッパー６内のメダルを払い出すメダル払い出し手段１２とを備え、前枠２側にメダル投入口４９、遊技盤１５、発射手段１６、及びメダル払い出し手段１２から払い出されたメダルを受けるメダル受け皿７５を備えているので、メダル処理に付随する各機器を遊技機本体３に設けるに当たっても、それらを外枠１と前枠２とに効率的に配置できる。またメダル受け皿７５を遊技機本体３の前面側の下部に配置し、このメダル受け皿７５の左右方向の一側方に発射手段１６の発射ハンドル４１を配置することにより、両者が他方に対して邪魔になることもない。
【００７３】
図１３は、本発明の第２の実施形態を例示し、待機通路４７が、球送り手段４８と共に前枠２に対して後方側に開くように構成した例を示している。支持枠１９の裏面側には、開閉板９７が、縦方向のヒンジ９７ａにより後方側に開閉可能に装着されており、その開閉板９７の裏面側に、待機通路４７及び球送り手段４８が着脱可能に装着されている。また、開閉板９７のヒンジ９７ａと反対側の端部には、開閉板９７を支持枠１９に対して閉じた状態で固定する蝶ネジ等の固定部材９８が取り付けられている。
【００７４】
開閉板９７を支持枠１９に対して後方側に開くことにより、待機通路４７の上流側開口４７ａと球集合ケース３２の排出口３２ｂとの間、及び球送り手段４８と発射レール３７との間がぞれぞれ分断され、開閉板９７を支持枠１９に対して閉じることによりそれらが連通する。
【００７５】
待機通路４７及び球送り手段４８を前枠２に対して後方に開く場合には、固定部材９８を緩めて開閉板９７の支持枠１９に対する固定状態を解除し、開閉板９７を後方側に回動させればよい（図１３参照）。なお、球送り手段４８は、打撃槌３８の揺動に対応して遊技球を発射レール３７上に１個づつ供給するようになっているため、第１の実施形態の遮断板９４ａのような手段を特に設けるまでもなく、発射手段１６が停止している限り球送り手段４８から遊技球が脱落することはない。
【００７６】
以上のように、待機通路４７が球送り手段４８と一体で前枠２の後方側に開くように構成すれば、発射手段１６と球送り手段４８との間、とりわけ球送り手段４８側のメンテナンスを前枠２の裏側から容易に行うことができる。
【００７７】
図１４及び図１５は、本発明の第３の実施形態を例示し、待機通路４７と共に発射レール３７及び不良シュート５０も前枠２の後方側に開くように構成した例を示している。支持枠１９のうち、遊技盤受け部２０と発射手段１６の取付部分とを除く鉛直平面部分が、開閉板１９ａとして縦方向のヒンジ１９ｂにより前枠２の後方側に開閉可能となっており、この開閉板１９ａに、待機通路４７、球送り手段４８、発射レール３７、不良シュート５０、及びメダル選別手段１７が着脱可能に装着されている。また、開閉板１９ａのヒンジ１９ｂと反対側の端部には、開閉板１９ａを支持枠１９に対して閉じた状態で固定する蝶ネジ等の固定部材１９ｃが取り付けられている。
【００７８】
開閉板１９ａを前枠２に対して後方側に開くことにより、待機通路４７の上流側開口４７ａと球集合ケース３２の排出口３２ｂとの間、発射レール３７と発射手段１６及びガイドレール２１との間、メダル選別手段１７とメダル投入口４９との間、及び不良シュート５０とメダル案内樋５１との間がぞれぞれ分断され、開閉板１９ａを前枠２に対して閉じることによりそれらが連通する。
【００７９】
待機通路４７等を前枠２に対して後方に開く場合には、固定部材１９ｃを緩めて開閉板１９ａの支持枠１９に対する固定状態を解除し、開閉板１９ａを後方に回動させればよい（図１５参照）。
【００８０】
以上のように、待機通路４７と共に発射レール３７を前枠２の後方側に開くように構成することにより、支持枠１９の前側に装着されて前枠２の裏側からは見えなかった発射レール３７及びその近傍のメンテナンス作業を容易に行うことが可能となる。また、待機通路４７と共に不良シュート５０等も前枠２の後方側に開くように構成することにより、循環経路４４側だけでなく、メダルの案内経路側のメンテナンスについても前枠２の裏側から容易に行うことができる。
【００８１】
図１６は本発明の第４の実施形態を例示し、待機通路４７が、発射レール３７に対して前枠２の前面側から接続されている場合に、待機通路４７と共に球送り手段３８、発射レール３７，不良シュート５０等が前枠２の後方側に開くように構成した例を示している。
【００８２】
本実施形態でも、第３の実施形態と同様、支持枠１９のうち、遊技盤受け部２０と発射手段１６の取付部分とを除く鉛直平面部分が、開閉板１９ａとして縦方向のヒンジ１９ｂにより前枠２の後方側に開閉可能となっており、この開閉板１９ａに、待機通路４７、球送り手段４８、発射レール３７、不良シュート５０、及びメダル選別手段１７が着脱可能に装着されている。待機通路４７は、図１６に示すように、開閉板１９ａの裏面側から前面側に屈曲して開閉板１９ａを貫通し、発射レール３７とガイドレール２１との間を通って発射手段１６側に屈曲し、発射レール３７の前側に配置された球送り手段４８を介して発射レール３７に接続されている。
【００８３】
開閉板１９ａを前枠２に対して後方側に開くことにより、待機通路４７の上流側開口４７ａと球集合ケース３２の排出口３２ｂとの間、メダル選別手段１７とメダル投入口４９との間、及び不良シュート５０とメダル案内樋５１との間がぞれぞれ分断され、開閉板１９ａを前枠２に対して閉じることによりそれらが連通する。
【００８４】
以上のように、待機通路４７を前枠２の前面側から発射レール３７に接続した場合も、待機通路４７を前枠２の後方側に開くように構成することで、発射レール３７及びその上流側に対するメンテナンス作業を前枠２の裏面側から容易に行うことが可能である。特にこの場合、待機通路４７の下流側、球送り手段３８、及び発射レール３７が遊技盤１５の前面側、即ち前枠２の裏面側からは見えない位置にあるが、待機通路４７を前枠２の後方側に開くように構成することで、それらを前枠２の裏面側から容易に確認することができる。
【００８５】
以上、本発明の各実施形態について詳述したが、この実施形態に限定されるものではなく、本発明の趣旨を逸脱しない範囲内で種々の変更が可能である。例えば、第４の実施形態のように待機通路４７を前枠２の前面側から発射レール３７に接続する場合、必ずしも不良シュート５０等を一体に開閉可能とする必要はない。また、第３，第４の実施形態のように支持枠１９の一部分を開閉板１９ａとして開閉可能とする場合には、発射手段１６を開閉板１９ａ側に装着することも可能である。
【００８６】
また、各実施形態では、メダル投入口４９から投入されたメダルをメダル計数手段８４で１枚づつ計数するようにしているが、規定の複数枚を単位として検出し、その検出を条件にゲームを開始可能にしても良い。
【００８７】
複数枚のメダルの投入でゲームを開始可能にするとき、実施形態では手動・自動の別を選択するようにしているが、１ゲームに必要な預託メダルがあり、発射ハンドル４１を操作している限り、所定の休止時間をおいて自動的にゲームを繰り返すようにしても良い。この場合にも、発射ハンドル４１のタッチ片から手を放したときに、そのゲームの終了を待ってゲームの継続を停止するように構成すれば、別段問題はない。
【００８８】
手動、自動を選択する選択スイッチを設ける場合にも、実施形態のように手動選択スイッチ７１と自動選択スイッチ７２とを別々に設ける必要はなく、１個の選択スイッチで手動、自動を選択するようにしても良い。この場合、選択スイッチの近傍等の適当箇所に手動選択表示手段、自動選択表示手段を設けることにより、遊技者は容易に手動、自動の区別が可能である。なお、選択表示手段を１個として、その表示の色、点滅の有無等により自動、手動を識別可能に表示するようにしても良い。
【００８９】
また実施形態では、手動選択スイッチ７１を操作するときには、その操作によって預託処理手段８５がそのゲームの開始前に規定数のメダルの減算処理を行い、自動選択スイッチ７２を操作するときには、その操作によって預託処理手段８５がその各ゲームの開始前に規定数のメダルの減算処理を行うようにしているが、何れの場合にもメダルの投入後に遊技者が発射ハンドル４１を操作することを条件に、預託処理手段８５がゲームの開始前に規定数のメダルの減算処理を行うようにしても良い。
【００９０】
実施形態では、外枠１とその前側の前枠２とから遊技機本体３を構成し、その前枠２の前面側に前面パネル５を設けているが、外枠１及び前枠２を一体にして遊技機本体３を構成し、この遊技機本体３の前面側に前面パネル５を開閉自在に設けても良い。遊技機本体３の前面に前面パネル５を設けるに当たっても、その前面パネル５を複数個に分割する必要は必ずしもない。ガラス扉５３を含む前面パネル５の全体を一体に構成し、その前面パネル５を遊技機本体３に対して開閉自在に設けても良い。１ゲームに必要なメダルの枚数は４枚である必要はなく、２枚以上であれば良い。また複数種類のメダルを使用可能にしても良い。
【００９１】
また、実施形態では、ゲームで獲得したメダルを各ゲーム毎にメダル受け皿７５に払い出すようにしたが、ゲームで獲得したメダルをその都度払い出すのではなく、獲得メダル数を各ゲーム毎に預託メダル数に順次上限に達するまで加算して更新すると共に、メダル数表示手段６８に随時表示し、例えば返却スイッチ７３が押された時に獲得メダル分を含む預託メダルをまとめて払い出すようにしても良い。
【００９２】
更に実施形態では、アレンジボール機について例示しているが、アレンジボール機の他、雀球遊技機等の各種の組み合わせ遊技機でも同様に実施できることはいうまでもない。
【００９３】
【発明の効果】
本発明では、遊技機本体３の前面側に開閉自在に枢着された前枠２と、該前枠２に装着され且つ前面側に遊技領域(27)が設けられた遊技盤１５と、発射レール３７上に供給される遊技球を遊技領域２７に向けて発射する発射手段１６とを備え、発射手段１６と遊技盤１５とを含む閉ループ状の循環経路４４中に複数個の遊技球を封入した組み合わせ遊技機において、循環経路４４中に封入された遊技球を発射レール３７の手前で待機させる待機通路４７が、前枠２に対して後方側に開閉可能に装着され且つ発射レール３７に対して前枠２の裏面側から接続されており、待機通路４７の下流端側は発射レール３７上に遊技球を供給する球送り手段４８に接続されており、待機通路４７を前枠２に対して後方に開くことによって待機通路４７の下流端側と球送り手段４８との接続部分が分断されるように構成されると共に、待機通路４７に、該待機通路４７を前枠２に対して後方に開いた状態で球送り手段４８との接続部分の開口を遮断する遮断手段９３を設けているため、発射レール及びその上流側の通路上におけるメンテナンス作業を容易に行うことができる。
【図面の簡単な説明】
【図１】本発明の第１の実施形態を示すアレンジボール機の正面図である。
【図２】本発明の第１の実施形態を示すアレンジボール機の側面図である。
【図３】本発明の第１の実施形態を示す前枠の背面図である。
【図４】本発明の第１の実施形態を示す外枠の正面図である。
【図５】本発明の第１の実施形態を示すアレンジボール機の縦断面図である。
【図６】本発明の第１の実施形態を示すアレンジボール機の縦断面図である。
【図７】本発明の第１の実施形態を示すアレンジボール機の横断面図である。
【図８】本発明の第１の実施形態を示す戻り経路部分の縦断面図である。
【図９】本発明の第１の実施形態を示す待機通路４７の開閉動作を説明する横断面図である。
【図１０】本発明の第１の実施形態を示す固定・遮断手段近傍の横断面図である。
【図１１】本発明の第１の実施形態を示す固定・遮断手段近傍の斜視図である。
【図１２】本発明の一実施形態を示す制御系のブロック図である。
【図１３】本発明の第２の実施形態を示す待機通路の開閉動作を説明する横断面図である。
【図１４】本発明の第３の実施形態を示す戻り経路部分の縦断面図である。
【図１５】本発明の第３の実施形態を示す待機通路の開閉動作を説明する横断面図である。
【図１６】本発明の第４の実施形態を示す待機通路の開閉動作を説明する横断面図である。
【符号の説明】
２    前枠
３    遊技機本体
１５    遊技盤
１６    発射手段
１７    メダル選別手段
２７    遊技領域
３２    球集合ケース
３２ｂ  排出口
３７    発射レール
４４    循環経路
４７    待機通路
４７ａ  上流側開口
４８    球送り手段
４９    メダル投入口
５０    不良シュート
５１    メダル案内樋
５２    メダル検出スイッチ
７５    メダル受け皿
８４    メダル計数手段
９３    固定・遮断手段（遮断手段の一例）
【図１】
0004651811.tif 000002
【図２】
0004651811.tif 000003
【図３】
0004651811.tif 000004
【図４】
0004651811.tif 000005
【図５】
0004651811.tif 000006
【図６】
0004651811.tif 000007
【図７】
0004651811.tif 000008
【図８】
0004651811.tif 000009
【図９】
0004651811.tif 000010
【図１０】
0004651811.tif 000011
【図１１】
0004651811.tif 000012
【図１２】
0004651811.tif 000013
【図１３】
0004651811.tif 000014
【図１４】
0004651811.tif 000015
【図１５】
0004651811.tif 000016
【図１６】
0004651811.tif 000017